(57)【要約】【課題】光を反射する反射部を複数有する光学系において、所望の反射部からの反射光信号を選択的に検出して、信号の強度を測定することのできる光学装置を提供する【解決手段】光学装置１０１は、透光性を有する第一反射部２１１と第一反射部２１１を透過した光を反射する第二反射部２２１とを有する光学系２０１に向けて、第一反射部２１１を透過して第二反射部２２１に入射する周期性光信号ＰＳ１を照射する照射部１０と、周期性光信号ＰＳ１を受けて第一反射部２１１で反射した第一反射光信号ＲＳ１１と、第一反射部２１１を透過した周期性光信号ＰＳ１を受けて第二反射部２２１で反射した第二反射光信号ＲＳ２とを含む反射光信号ＲＳを受光して、第一反射光信号ＲＳ１１及び第二反射光信号ＲＳ２のうち少なくとも一つを選択的に検出し、選択的に検出した信号の強度を測定する検出部２０とを備えて構成される。【選択図】図１
2019088449.tif 000002
【特許請求の範囲】
【請求項１】
透光性を有する第一反射部と前記第一反射部を透過した光を反射する第二反射部とを有する光学系に向けて、前記第一反射部を透過して前記第二反射部に入射する周期性光信号を照射する照射部と、
前記周期性光信号を受けて前記第一反射部で反射した第一反射光信号と、前記第一反射部を透過した前記周期性光信号を受けて前記第二反射部で反射した第二反射光信号とを含む反射光信号を受光して、
前記第一反射光信号及び前記第二反射光信号のうち少なくとも一つを選択的に検出し、
前記選択的に検出した信号の強度を測定する検出部とを備えて構成される
ことを特徴とする、光学装置。
【請求項２】
前記照射部は、
光信号を出力する光源と、
前記光路と前光源との間の光路に介装されて、前記光信号を第一変調周波数で強度変調して前記周期性光信号を生成する第一出射光変調部とを有し、
前記第一変調周波数は、前記検出部で受光される前記第一反射光信号と、前記検出部で受光される前記第二反射光信号との位相がずれる周波数である、
請求項１に記載の光学装置。
【請求項３】
前記検出部は、
前記反射光信号から前記第一変調周波数に応じた周期のうち所定の時間幅の信号を通過させることで、前記第一反射光信号及び前記第二反射光信号のうち少なくとも一つを選択的に抽出する第一入射光変調部と、
前記第一入射光変調部で抽出された信号を検出する受光部とを有する
請求項２に記載の光学装置。
【請求項４】
前記第一変調周波数は、下記式（１）の周波数ｆ1で表される、
【数１】
2019088449.tif 000024
（式（１）中、Ｎは、０以上の整数を表す。
ｃは、真空中の光の速度を表す。
ｌ1は、前記第一反射部から前記第二反射部までの距離を表す。
ｎ1は、前記第一反射部から前記第二反射部までの経路中の屈折率を表す。）
請求項２又は３に記載の光学装置。
【請求項５】
前記周期性光信号が、矩形波、正弦波、三角波、及び鋸歯状波から選ばれる少なくも一つの波形を含む
請求項２〜４のいずれか１項に記載の光学装置。
【請求項６】
前記光学系は、透光性を有する第三反射部をさらに有し、
前記照射部は、前記第三反射部と前記第一反射部とをこの順で透過して前記第二反射部に入射する前記周期性光信号を照射し、
前記検出部は、
前記周期性光信号を受けて前記第三反射部で反射した第三反射光信号と、
前記第三反射部を透過した前記周期性光信号を受けて前記第一反射部で反射した第一反射光信号と、
前記第三反射部及び前記第一反射部を透過した前記周期性光信号を受けて前記第二反射部で反射した第二反射光信号とを含む前記反射光信号を受光して、
前記第一反射光信号、前記第二反射光信号、及び前記第三反射光信号のうち少なくとも一つを選択的に検出し、
前記選択的に検出した信号の強度を測定する、
請求項１に記載の光学装置。
【請求項７】
前記照射部は、
光信号を出力する光源と、
前記光学系と前光源との間の光路に介装されて、前記光信号を第一変調周波数及び第二変調周波数で強度変調して前記周期性光信号を生成する第二出射光変調部とを有し、
前記第一変調周波数は、前記検出部で受光される前記第一反射光信号と、前記検出部で受光される前記第二反射光信号との位相がずれる周波数であり、
前記第二変調周波数は、前記検出部で受光される前記第三反射光信号と前記第一反射光信号及び前記第二反射光信号との位相がずれる周波数である、
請求項６に記載の光学装置。
【請求項８】
前記検出部は、前記反射光信号から前記第二変調周波数に応じた周期のうち所定の時間幅の信号を通過させることで、前記第一反射光信号及び前記第二反射光信号を抽出するとともに、前記反射光信号から前記第一変調周波数に応じた周期のうち所定の時間幅の信号を通過させることで、前記第一反射光信号及び前記第二反射光信号のうち少なくとも一つを選択的に抽出する第二入射光変調部と、
前記第二入射光変調部で抽出された信号を検出する受光部とを有する
請求項７に記載の光学装置。
【請求項９】
前記第一変調周波数は、下記式（１）の周波数ｆ1で表され、
【数２】
2019088449.tif 000025
（式（１）中、Ｎは、０以上の整数を表す。
ｃは、真空中の光の速度を表す。
ｌ1は、前記第一反射部から前記第二反射部までの距離を表す。
ｎ1は、前記第一反射部から前記第二反射部までの経路中の屈折率を表す。）
前記第二変調周波数は、下記式（２）の周波数ｆ2で表される、
【数３】
2019088449.tif 000026
（式（１）中、Ｎは、０以上の整数を表す。
ｃは、真空中の光の速度を表す。
ｌ2は、前記第三反射部から前記第二反射部までの距離を表す。
ｎ2は、前記第三反射部から前記第二反射部までの経路中の屈折率を表す。）
請求項７又は８に記載の光学装置。
【請求項１０】
前記第三反射部より前記第一反射部側の光路部分に設けられた分岐部をさらに備え、
前記照射部からの前記周期性光信号が前記分岐部を通じて前記第一反射部及び前記第二反射部へ照射されるとともに、前記第一反射部及び前記第二反射部からの前記反射光信号が前記分岐部を通じて前記第三反射部を経由せずに前記検出部で受光され、
前記検出部は、前記第一反射光信号、及び前記第二反射光信号のうち少なくとも一つを選択的に検出する、
請求項６に記載の光学装置。
【発明の詳細な説明】
【技術分野】
【０００１】
本発明は、光信号の強度を測定する光学装置に関する。
【背景技術】
【０００２】
被験者の瞳を通じて眼底像の撮影を行う光学装置が知られている。通常、ビデオカメラで被検者の眼をクローズアップしたとしても眼底の撮影は困難であるため、被験者の網膜にレーザ光を照射して、網膜からの反射光の強度を測定することで眼底像の撮影を行う方法がとられている（特許文献１参照）。
【０００３】
特許文献１では、レーザ光源から出射したレーザが、ファイバを介して平行なビームとして出射されて、被験者の眼に照射されている。眼に入射したビームは角膜を通過し、眼底で反射する。そして反射光がセンサによって検出されている。
【先行技術文献】
【特許文献】
【０００４】
【特許文献１】特開２０１４−２０９９８０号公報
【発明の概要】
【発明が解決しようとする課題】
【０００５】
眼底検査のために網膜にレーザを照射して網膜の反射光から網膜の画像を得る場合、網膜で反射される反射光の強度が入射光の０．１〜０．０１％程度以下であるのに対して、角膜で反射される反射光の強度は入射光の約４％であるとされている。このため、角膜からの反射光の影響によって、網膜からの反射光の信号雑音比が低下することがあった。また、角膜からの反射光が検出された領域では、光が飽和して白い点となるように眼底像が撮影されることがあった。この他にも、ファイバを介してビームが出射される際に、ビームがファイバの端面においても反射することがある。このファイバ端面からの反射光も、網膜からの反射光の検出の妨げとなることがあった。このように、測定対象となる網膜等の眼底からの反射光と、角膜やファイバ端面といった測定対象以外の部位からの反射光との分離が求められている。
【０００６】
本発明は、かかる背景技術に鑑みてなされたものであり、光を反射する反射部を複数有する光学系において、所望の反射部からの反射光信号を選択的に検出して、信号の強度を測定することのできる光学装置を提供することを目的とする。なお、この目的に限らず、後述する発明を実施するための形態に示す各構成により導かれる作用効果であって、従来の技術によっては得られない作用効果を奏することも本件の他の目的である。
【課題を解決するための手段】
【０００７】
本発明は、以下に示す種々の具体的態様を提供する。
［１］透光性を有する第一反射部と前記第一反射部を透過した光を反射する第二反射部とを有する光学系に向けて、前記第一反射部を透過して前記第二反射部に入射する周期性光信号を照射する照射部と、前記周期性光信号を受けて前記第一反射部で反射した第一反射光信号と、前記第一反射部を透過した前記周期性光信号を受けて前記第二反射部で反射した第二反射光信号とを含む反射光信号を受光して、前記第一反射光信号及び前記第二反射光信号のうち少なくとも一つを選択的に検出し、前記選択的に検出した信号の強度を測定する検出部とを備えて構成されることを特徴とする、光学装置。
【０００８】
［２］前記照射部は、光信号を出力する光源と、前記光路と前光源との間の光路に介装されて、前記光信号を第一変調周波数で強度変調して前記周期性光信号を生成する第一出射光変調部とを有し、前記第一変調周波数は、前記検出部で受光される前記第一反射光信号と、前記検出部で受光される前記第二反射光信号との位相がずれる周波数である、［１］に記載の光学装置。
［３］前記検出部は、前記反射光信号から前記第一変調周波数に応じた周期のうち所定の時間幅の信号を通過させることで、前記第一反射光信号及び前記第二反射光信号のうち少なくとも一つを選択的に抽出する第一入射光変調部と、前記第一入射光変調部で抽出された信号を検出する受光部とを有する［２］に記載の光学装置。
【０００９】
［４］前記第一変調周波数は、下記式（１）の周波数ｆ1で表される、
【数１】
2019088449.tif 000003
（式（１）中、Ｎは、０以上の整数を表す。
ｃは、真空中の光の速度を表す。
ｌ1は、前記第一反射部から前記第二反射部までの距離を表す。
ｎ1は、前記第一反射部から前記第二反射部までの経路中の屈折率を表す。）
［２］又は［３］に記載の光学装置。
［５］前記周期性光信号が、矩形波、正弦波、三角波、及び鋸歯状波から選ばれる少なくも一つの波形を含む［２］〜［４］のいずれか１項に記載の光学装置。
【００１０】
［６］前記光学系は、透光性を有する第三反射部をさらに有し、前記照射部は、前記第三反射部と前記第一反射部とをこの順で透過して前記第二反射部に入射する前記周期性光信号を照射し、前記検出部は、前記周期性光信号を受けて前記第三反射部で反射した第三反射光信号と、前記第三反射部を透過した前記周期性光信号を受けて前記第一反射部で反射した第一反射光信号と、前記第三反射部及び前記第一反射部を透過した前記周期性光信号を受けて前記第二反射部で反射した第二反射光信号とを含む前記反射光信号を受光して、前記第一反射光信号、前記第二反射光信号、及び前記第三反射光信号のうち少なくとも一つを選択的に検出し、前記選択的に検出した信号の強度を測定する、［１］に記載の光学装置。
【００１１】
［７］前記照射部は、光信号を出力する光源と、前記光学系と前光源との間の光路に介装されて、前記光信号を第一変調周波数及び第二変調周波数で強度変調して前記周期性光信号を生成する第二出射光変調部とを有し、前記第一変調周波数は、前記検出部で受光される前記第一反射光信号と、前記検出部で受光される前記第二反射光信号との位相がずれる周波数であり、前記第二変調周波数は、前記検出部で受光される前記第三反射光信号と前記第一反射光信号及び前記第二反射光信号との位相がずれる周波数である、［６］に記載の光学装置。
［８］前記検出部は、前記反射光信号から前記第二変調周波数に応じた周期のうち所定の時間幅の信号を通過させることで、前記第一反射光信号及び前記第二反射光信号を抽出するとともに、前記反射光信号から前記第一変調周波数に応じた周期のうち所定の時間幅の信号を通過させることで、前記第一反射光信号及び前記第二反射光信号のうち少なくとも一つを選択的に抽出する第二入射光変調部と、前記第二入射光変調部で抽出された信号を検出する受光部とを有する［７］に記載の光学装置。
【００１２】
［９］前記第一変調周波数は、下記式（１）の周波数ｆ1で表され、
【数２】
2019088449.tif 000004
（式（１）中、Ｎは、０以上の整数を表す。
ｃは、真空中の光の速度を表す。
ｌ1は、前記第一反射部から前記第二反射部までの距離を表す。
ｎ1は、前記第一反射部から前記第二反射部までの経路中の屈折率を表す。）
前記第二変調周波数は、下記式（２）の周波数ｆ2で表される、
【数３】
2019088449.tif 000005
（式（１）中、Ｎは、０以上の整数を表す。
ｃは、真空中の光の速度を表す。
ｌ2は、前記第三反射部から前記第二反射部までの距離を表す。
ｎ2は、前記第三反射部から前記第二反射部までの経路中の屈折率を表す。）
［７］又は［８］に記載の光学装置。
［１０］前記第三反射部より前記第一反射部側の光路部分に設けられた分岐部をさらに備え、前記照射部からの前記周期性光信号が前記分岐部を通じて前記第一反射部及び前記第二反射部へ照射されるとともに、前記第一反射部及び前記第二反射部からの前記反射光信号が前記分岐部を通じて前記第三反射部を経由せずに前記検出部で受光され、前記検出部は、前記第一反射光信号、及び前記第二反射光信号のうち少なくとも一つを選択的に検出する、［６］に記載の光学装置。
【発明の効果】
【００１３】
本発明によれば、光を反射する反射部を複数有する光学系に向けて周期性光信号を照射することで、所望の反射部からの反射光信号を選択的に検出して、信号の強度を測定することのできる光学装置を提供することができる。
【図面の簡単な説明】
【００１４】
【図１】第一実施形態の光学装置の構成を表すブロック図である。
【図２】第一実施形態の光学装置の光学系を概念的に表す説明図である。
【図３】第一実施形態における眼と入射光及び反射光との関係を説明するための模式図である。
【図４】第一実施形態の光学装置による動作の一例を表すタイミングチャートである。（ａ）は角膜への入射光のタイミングを示す。（ｂ）は網膜と角膜からの角膜における反射光のタイミングを示す。（ｃ）は第一入射光変調部の透過特性を示す。（ｄ）は受光部で検出される信号のタイミングを示す。
【図５】第一実施形態の光学装置による動作の他の例を表すタイミングチャートである。（ａ）は角膜への入射光のタイミングを示す。（ｂ）は網膜と角膜からの角膜における反射光のタイミングを示す。（ｃ）は第一入射光変調部の透過特性を示す。（ｄ）は受光部で検出される信号を示す。
【図６】第二実施形態の光学装置の構成を表すブロック図である。
【図７】第二実施形態の光学装置の光学系を概念的に表す説明図である。
【図８】第二実施形態における眼及び光ファイバと入射光及び反射光との関係を説明するための模式図である。
【図９】第二実施形態の光学装置による動作の一例を表すタイミングチャートである。（ａ）は光ファイバ端面への入射光のタイミングを示す。（ｂ）は網膜と光ファイバ端面からの光ファイバ端面における反射光のタイミングを示す。（ｃ）は第一入射光変調部の透過特性を示す。（ｄ）は受光部で検出される信号のタイミングを示す。
【図１０】第三実施形態の光学装置の構成を表すブロック図である。
【図１１】第三実施形態の光学装置の光学系を概念的に表す説明図である。
【図１２】第三実施形態における眼及び光ファイバと入射光及び反射光との関係を説明するための模式図である。
【図１３】第三実施形態の光学装置による動作の一例を表すタイミングチャートである。（ａ）は光ファイバ端面への入射光のタイミングを示す。（ｂ）は網膜と角膜と光ファイバ端面からの光ファイバ端面における反射光のタイミングを示す。（ｃ）は第二入射光変調部の透過特性を示す。（ｄ）は受光部で検出される信号のタイミングを示す。
【図１４】第三実施形態の光学装置による動作の他の例を表すタイミングチャートである。（ａ）は光ファイバ端面への入射光のタイミングを示す。（ｂ）は網膜と角膜と光ファイバ端面からの光ファイバ端面における反射光のタイミングを示す。（ｃ）は第二入射光変調部の透過特性を示す。（ｄ）は受光部で検出される信号のタイミングを示す。
【発明を実施するための形態】
【００１５】
以下、図面を参照して、本発明の一実施形態としての光学装置について説明する。以下に示す実施形態はあくまでも例示に過ぎず、以下の実施形態で明示しない種々の変形や技術の適用を排除する意図はない。本実施形態の各構成は、それらの趣旨を逸脱しない範囲で種々変形して実施することができる。また、必要に応じて取捨選択することができ、あるいは適宜組み合わせることができる。
【００１６】
以下の説明では、図面の寸法比率は、図示の比率に限定されるものではない。また、本明細書において、「〜」を用いてその前後に数値又は物性値を挟んで表現する場合、その前後の数値又は物性値を含むものとして用いることとする。例えば「１〜１００」との数値範囲の表記は、その下限値「１」及び上限値「１００」の双方を包含するものであり、「１以上１００以下」を表す。他の数値範囲の表記も同様である。
【００１７】
実施形態で述べる光学機器は、被検者の眼、中でも眼底を検査する検眼装置である。この光学機器には、被検者の頭部を保持して、被検者が覗き窓又は接眼レンズを覗き込んだ状態で眼底の検査を行う眼底撮影装置や、被検者が装着した状態で眼底の検査を行う眼鏡型や帽子型等のヘッドマウントディスプレイ（ＨＭＤ；Ｈｅａｄ  Ｍｏｕｎｔｅｄ  Ｄｉｓｐｌａｙ）等が含まれる。以下の実施形態では、光学機器として眼底撮影装置を例示する。実施形態で述べる光学装置は、角膜と眼底とを少なくとも含む光学系において、眼底又は角膜で反射した光信号を検出するものである。眼底には、例えば、網膜、視神経乳頭、脈絡膜、硝子体等が含まれる。中でも実施形態では、測定対象物が網膜である場合を例に挙げて説明する。
【００１８】
［Ｉ．第一実施形態］
第一実施形態に係る光学装置について、図１〜図５を参照して説明する。以降、第一実施形態の説明において、この第一実施形態を、単に本実施形態ともいう。なお、第一実施形態に係る光学装置は、後述する第二実施形態に係る光学装置において、ファイバーカプラを用いて光路を分岐する構成に変えて、ビームスプリッタを用いて光路を分岐するものと位置づけられる。
【００１９】
［Ｉ−１．構成］
図１，図２を参照して、光学装置１０１の構成について説明する。
図１に表されように、光学装置１０１は、照射部１０と、検出部２０とを備えている。照射部１０は、光源１１と、第一出射光変調部１２とを有している。また、検出部２０は、受光部２１と、第一入射光変調部２２とを有している。さらに、光学装置１０１は、発振部３０と、導光部５１とを備えている。発振部３０は、高周波発振器３１を有している。また、導光部５１は、分岐部６１と、走査部６２とを有している。
【００２０】
図２に表されるように、光学装置１０１は、照射部１０から周期性光信号ＰＳ１を出力して、光学系２０１に向けて周期性光信号ＰＳ１を照射する。光学系２０１は、透光性を有する第一反射部２１１と、第一反射部２１１を透過した光を反射する第二反射部２２１とを有する。光学系２０１に向けて周期性光信号ＰＳ１が照射されることで、周期性光信号ＰＳ１は、一部が第一反射部２１１で反射するとともに、一部が第一反射部２１１を透過して第二反射部２２１に入射して、第二反射部２２１で反射する。これにより、周期性光信号ＰＳ１を受けて第一反射部２１１で反射した第一反射光信号ＲＳ１１と、第一反射部２１１を透過した周期性光信号ＰＳ１を受けて第二反射部２２１で反射した第二反射光信号ＲＳ２とを含む、反射光信号ＲＳが生じる。検出部２０は、この反射光信号ＲＳを受光して、第一反射光信号ＲＳ１１及び第二反射光信号ＲＳ２のうち少なくとも一つを選択的に検出する。さらに、選択的に検出した信号の強度を測定する。なお、本実施形態では、光学系２０１が眼ＥＹを含み、第一反射部２１１が眼ＥＹの角膜ＣＯであり、第二反射部２２１が眼ＥＹの網膜ＲＥである場合を例示する。
以下、光学装置１０１の各構成要素について説明する。
【００２１】
〔照射部〕
照射部１０は、光学系２０１に向けて、角膜ＣＯを透過して網膜ＲＥに入射する周期性光信号ＰＳ１を照射するものである。周期性光信号ＰＳ１は、信号の強度が時間に応じて周期的に変化する周期性の光信号である。周期性光信号ＰＳ１としては、信号の強度変化を表す信号波形が繰り返し周期的に現れる光信号が用いられる。周期性光信号ＰＳ１が含む信号波形としては、例えば、矩形波、正弦波、三角波、鋸歯状波等が挙げられる。周期性光信号ＰＳ１は、これらの信号波形の一つを含んでいてもよく、二つ以上を組み合わせて含んでいてもよい。これらの中でも、単位時間当たりの信号強度を高めて信号雑音比を向上させるとともに、信号の分離を容易にする観点から、矩形波が好ましい。周期性光信号ＰＳ１は、第一変調周波数ｆemで強度変調されている。すなわち、周期性光信号ＰＳ１は、上述した信号波形が、単位時間（通常、１秒）当たりに第一変調周波数ｆemの回数繰り返されるパルス波を有する光信号である。
【００２２】
＜光源＞
光源１１は、光信号を生成して出力する光源ユニットである。本実施形態では、光源１１は、光信号として連続的なレーザ光を生成して出力する。光源１１の発するレーザ光の発光波長（色）は特に限定されず、測定対象及び測定目的に応じて適宜設定することができるが、例えば、赤色、青色、緑色等に対応する発光波長のレーザ光を出力することができる。また、光源１１は、赤外波長領域のレーザ光を出力してもよい。光源１１は、生成した光信号を、第一出射光変調部１２に出力する。本実施形態では、光源１１として、半導体レーザを用いる場合を例示する。光源１１は、これに限定されず、例えば、固体レーザ、液体レーザ、気体レーザ等を用いることができる。
【００２３】
＜第一出射光変調部＞
第一出射光変調部１２は、光学系２０１と光源１１との間の光路に介装される。第一出射光変調部１２は、光源１１から出力された光信号を第一変調周波数ｆemで強度変調して、周期性光信号ＰＳ１を生成する。第一出射光変調部１２は、角膜ＣＯでの反射により生じる第一反射光信号ＲＳ１１、又は網膜ＲＥでの反射により生じる第二反射光信号ＲＳ２の軽減のために、第一変調周波数ｆemでの強度変調を行うものである。第一出射光変調部１２は、生成した周期性光信号ＰＳ１を、光学系２０１に出力する。第一出射光変調部１２による光信号の強度変調は、入射された光信号の一部又は全てを遮蔽する光シャッターを用いて行うことができる。本実施形態では、光シャッターとして、ＥＯ（Electrical Optical）素子を利用するＥＯシャッターを用いる場合を例示する。第一出射光変調部１２は、発振部３０から出力されるパルス信号が入力されることで、このパルス信号に応じて第一変調周波数ｆemが設定される。
【００２４】
〔検出部〕
検出部２０は、光学系２０１からの反射光信号ＲＳを受光して、角膜ＣＯで反射された第一反射光信号ＲＳ１１、及び網膜ＲＥで反射された第二反射光信号ＲＳ２のうち少なくとも一つを選択的に検出するものである。さらに、検出部２０は、選択的に検出した信号の強度を測定する。
【００２５】
＜受光部＞
受光部２１は、第一入射光変調部２２で抽出された信号を検出する受光ユニットである。受光部２１は、検出された信号の強度を測定する。本実施形態では、受光部２１として、フォトダイオードを用いる場合を例示する。受光部２１は、これに限定されず、例えば、光電子増倍管、ＣＣＤ（Charge-Coupled Device）イメージセンサ、ＣＭＯＳ（Complementary Metal Oxide Semiconductor）イメージセンサ等を用いることができる。
【００２６】
＜第一入射光変調部＞
第一入射光変調部２２は、反射光信号ＲＳを第一変調周波数ｆemで強度変調するものである。これにより、第一入射光変調部２２は、反射光信号ＲＳから第一変調周波数ｆemに応じた周期のうち所定の時間幅の信号を通過させることで、第一反射光信号ＲＳ１１及び第二反射光信号ＲＳ２のうち少なくとも一つを選択的に抽出する。第一入射光変調部２２は、抽出した信号を、受光部２１に出力する。第一入射光変調部２２による光信号の強度変調は、第一出射光変調部１２と同様に、光シャッターを用いて行うことができる。本実施形態では、光シャッターとしてＥＯシャッターを用いる場合を例示する。
【００２７】
〔発振部〕
発振部３０は、所定の周波数のパルス信号を出力するものである。本実施形態では、発振部３０は、高周波発振器３１を有しており、この高周波発振器３１がパルス信号を生成して出力する。
【００２８】
＜高周波発振器＞
高周波発振器３１は、所定の周波数のパルス信号を発振して出力する発振器である。本実施形態では、高周波発振器３１として水晶発振器を用いる場合を例示する。高周波発振器３１は、これに限定されず、例えば、電圧制御発振器（ＶＣＯ；Voltage Controlled Oscillator）等を用いることができる。本実施形態では、高周波発振器３１は、第一変調周波数ｆemのパルス信号を発振する。そして、高周波発振器３１は、このパルス信号を、第一出射光変調部１２と第一入射光変調部２２とに出力する。
【００２９】
ここで、第一変調周波数ｆemは、下記式（１）の周波数ｆ1で表される。詳細は後述する。
【数４】
2019088449.tif 000006
（式（１）中、Ｎは、０以上の整数を表す。ｃは、真空中の光の速度を表す。ｌ1は、第一反射部２１１から第二反射部２２１までの距離を表す。ｎ1は、第一反射部２１１から第二反射部２２１までの経路中の屈折率を表す。）
【００３０】
〔導光部〕
導光部５１は、照射部１０から眼ＥＹまでの光路を形成する。導光部５１には、照射部１０により生成された周期性光信号ＰＳ１が入射されて、眼ＥＹに出射される。さらに、導光部５１には、角膜ＣＯで反射した第一反射光信号ＲＳ１１と、網膜ＲＥで反射した第二反射光信号ＲＳ２とを含む反射光信号ＲＳが入射されて、検出部２０に出射される。被検者が光学装置１０１を使用する際に、導光部５１は被検者の眼ＥＹの前方に位置するように構成される。
【００３１】
＜分岐部＞
分岐部６１は、光ファイバ７２の出射側の端面７２ａより網膜ＲＥ側の光路部分に設けられている。分岐部６１には、照射部１０から周期性光信号ＰＳ１が入射する。分岐部６１は、入射された周期性光信号ＰＳ１を分岐して、透過した一部を走査部６２へ出射する。これにより、照射部１０からの周期性光信号ＰＳ１は、分岐部６１を通じて角膜ＣＯ及び網膜ＲＥへ照射される。さらに、分岐部６１には、走査部６２を介して、眼ＥＹからの反射光信号ＲＳが入射する。分岐部６１は、入射された反射光信号ＲＳを分岐して、反射した一部を検出部２０へ出射する。これにより、角膜ＣＯ及び網膜ＲＥからの反射光信号ＲＳは、分岐部６１を通じて光ファイバ端面７２ａを経由せずに検出部２０で受光される。本実施形態では、分岐部６１として、ビームスプリッタを用いる場合を例示する。分岐部６１はこれに限定されず、例えば、ハーフミラー等を用いることができる。
【００３２】
＜走査部＞
走査部６２には、分岐部６１を介して、照射部１０から周期性光信号ＰＳ１が入射する。さらに、走査部６２には、眼ＥＹから第一反射光信号ＲＳ１１と第二反射光信号ＲＳ２とを含む反射光信号ＲＳが入射する。走査部６２は、反射ミラー（図示略）と、反射ミラーを回転駆動させるアクチュエータ（図示略）とを有している。走査部６２は、反射ミラーによって、周期性光信号ＰＳ１を眼ＥＹに向けて反射することができる。さらに、走査部６２は、アクチュエータで反射ミラーを回転させることによって、周期性光信号ＰＳ１の眼ＥＹへの反射角度θを変更することができる。このように、走査部６２は周期性光信号ＰＳ１の反射角度θを変化させることで、網膜ＲＥ上において、周期性光信号ＰＳ１が入射するとともに、第一反射光信号ＲＳ１１が反射する位置を走査することができる。また、走査部６２は、反射ミラーで第一反射光信号ＲＳ１１と第二反射光信号ＲＳ２とを含む反射光信号ＲＳを、分岐部６１に向けて反射することができる。本実施形態では、走査部６２として、スキャニングミラーを用いる場合を例示する。
【００３３】
〔光学系〕
導光部５１及び光学装置１０１が用いる光学系２０１について説明する。図２では、導光部５１及び光学装置１０１が用いる光学系を概念的に表している。導光部５１は、レンズ、プリズム、ミラー、スリット等を有する結像光学系ユニット（図示略）を有している。走査部６２によって反射された光は、この結像光学系ユニットを介して眼ＥＹに入射される。本実施形態では、結像光学系ユニットとして、第一レンズ９１及び第二レンズ９２を有し、被検者が覗き込む鏡筒を用いる場合を例示する。
【００３４】
本実施形態の導光部５１は、分岐部６１、走査部６２、光ファイバ７２，７４、集光レンズ８１，８２、並びに第一レンズ９１及び第二レンズ９２を備えている。また、本実施形態の光学系２０１は、導光部５１に加えて、角膜ＣＯ及び網膜ＲＥを備えている。照射部１０から出力された周期性光信号ＰＳ１は、光学系２０１に向けて照射される。光学系２０１で生じた反射光信号ＲＳは、検出部２０で受光される。
なお、照射部１０の位置と検出部２０の位置とは、互いに交換されてもよい。
【００３５】
光源１１と第一出射光変調部１２とは、光ファイバ７１により接続されている。光源１１によって生成された光信号は、光ファイバ７１を介して第一出射光変調部１２に出力される。さらに、第一出射光変調部１２によって生成された周期性光信号ＰＳ１は、光ファイバ７２を介して分岐部６１に向けて出力される。光ファイバ７２から出射された周期性光信号ＰＳ１は、集光レンズ８１に入射する。集光レンズ８１は、入射された周期性光信号ＰＳ１を、平行に進行する光（換言すると、平行光）として分岐部６１に出射する。そして、分岐部６１は、入射された周期性光信号ＰＳ１を分岐して、透過した周期性光信号ＰＳ１を走査部６２へ出射する。走査部６２は、入射された周期性光信号ＰＳ１を、第一レンズ９１に向けて反射角度θで反射する。
【００３６】
第一レンズ９１は、走査部６２と第一レンズ９１の主面との間の距離が、第一レンズ９１の焦点距離と一致する位置に配置される。第一レンズ９１は、走査部６２から入射された光を、一次像面ＰＩとして結像する。なお、ここでは走査部６２と第一レンズ９１の主面との間の距離が、第一レンズ９１の焦点距離と一致する場合を例示するが、走査部６２と第一レンズ９１の主面との間の距離は、第一レンズ９１の焦点距離よりも長い位置に配置されてもよく、短い位置に配置されてもよい。
【００３７】
第二レンズ９２は、一次像面ＰＩと、第二レンズ９２の主面との間の距離が、第二レンズ９２の焦点距離と一致する位置に配置される。第二レンズ９２は、一次像面ＰＩ内の１点における光を、互いに平行に進行する光（換言すると、平行光）として出射する。第二レンズ９２の主面と、角膜ＣＯ、水晶体等を含む眼ＥＹの集光レンズ系の主面との間の距離は、第二レンズ９２の焦点距離と一致している。なお、ここでは第二レンズ９２の主面と集光レンズ系の主面との間の距離が、第二レンズ９２の焦点距離と一致する場合を例示するが、第二レンズ９２の主面と集光レンズ系の主面との間の距離は、第二レンズ９２の焦点距離よりも長い位置に配置されてもよく、短い位置に配置されてもよい。
【００３８】
角膜ＣＯは、角膜ＣＯの焦点距離が、角膜ＣＯの主面と網膜ＲＥとの間の距離と一致するように調整されている。角膜ＣＯは、眼ＥＹにおいて、光を屈折させる機能を有する部分である。これにより、角膜ＣＯは、第二レンズ９２から入射された平行光を、網膜ＲＥにて１点に収束させる。従って、眼ＥＹの角膜ＣＯは、一次像面ＰＩにて形成された画像を網膜ＲＥにて結像することができる。
【００３９】
導光部５１から出射された周期性光信号ＰＳ１は、角膜ＣＯ及び網膜ＲＥにおいて、走査部６２における反射角度θに対応する位置及び角度にて反射される。反射された第一反射光信号ＲＳ１１及び第二反射光信号ＲＳ２を含む反射光信号ＲＳ（換言すると、反射光）は、走査部６２から網膜ＲＥへ到達するまでに通った光路と同じ光路を、網膜ＲＥから走査部６２へ向かって進行する。すなわち、第一反射光信号ＲＳ１１は、周期性光信号ＰＳ１と同一の光路を、周期性光信号ＰＳ１と逆方向に、角膜ＣＯから走査部６２へ向かって進行する。また、第二反射光信号ＲＳ２は、走査部６２により反射された周期性光信号ＰＳ１と同一の光路を、周期性光信号ＰＳ１と逆方向に、網膜ＲＥから走査部６２へ向かって進行する。
【００４０】
走査部６２は、角膜ＣＯ及び網膜ＲＥから入射された反射光信号ＲＳを、分岐部６１に向けて反射角度θで反射する。分岐部６１は、反射光信号ＲＳを分岐して、反射された反射光信号ＲＳを、集光レンズ８２へ出射する。集光レンズ８２は、入射された反射光信号ＲＳを集光して、光ファイバ７４に出射する。光ファイバ７４に入射された反射光信号ＲＳは、第一入射光変調部２２に入力される。受光部２１と第一入射光変調部２２とは、光ファイバ７３により接続されている。第一入射光変調部２２によって抽出された光信号は、受光部２１に出力される。
【００４１】
［Ｉ−２．動作］
図３〜図５を参照して、光学装置１０１の動作について説明する。ここでは、まず、図３を参照して、周期性光信号ＰＳ１の第一変調周波数ｆemについて説明する。続いて、図４，図５を参照して、第一変調周波数ｆemを利用した光学装置１０１の動作について説明する。
【００４２】
〔第一変調周波数ｆem〕
本実施形態では、周期性光信号ＰＳ１は、第一変調周波数ｆemで強度変調されている。第一変調周波数ｆemは、検出部２０で受光される第一反射光信号ＲＳ１１と、検出部２０で受光される第二反射光信号ＲＳ２との位相がずれる周波数である。第一反射光信号ＲＳ１１の信号波形と第二反射光信号ＲＳ２の信号波形とが可能な限り重ならないようにすることで、周期性光信号ＰＳ１の信号波形を広げることができる。この場合、信号波形が狭い場合よりも比較的に低い信号強度で測定を行うことができるようになるため、被検者に与える負担を軽減することができる。このような観点からは、第一反射光信号ＲＳ１１と第二反射光信号ＲＳ２との位相のずれが大きくなることが好ましく、位相が半周期ずれることがより好ましい。ここでは、検出部２０で受光される、第一反射光信号ＲＳ１１と第二反射光信号ＲＳ２との位相が、第一変調周波数ｆemに応じた周期の半周期分ずれる場合を例示する。
【００４３】
図３に示すように、周期性光信号ＰＳ１は、眼ＥＹに入射する。このとき、周波数femで強度変調されている周期性光信号ＰＳ１について、その入射光強度ＩIの時間ｔによる変化は、入射光強度ＩIの最大値を２ＩI0とすると、下記式（１１）により表される。
【数５】
2019088449.tif 000007
【００４４】
また、周期性光信号ＰＳ１を受けて角膜ＣＯで反射した第一反射光信号ＲＳ１１について、その角膜反射光強度ＩCの時間ｔによる変化は、反射光強度ＩCの最大値を２ＩC0とすると、下記式（１２）により表される。
【数６】
2019088449.tif 000008
【００４５】
また、角膜ＣＯを通過した周期性光信号ＰＳ１を受けて網膜ＲＥで反射した第二反射光信号ＲＳ２について、その網膜反射光強度ＩRの時間ｔによる変化は、反射光強度ＩRの最大値を２ＩR0とすると、下記式（１３）により表される。
【数７】
2019088449.tif 000009
式（１３）は、網膜ＲＥからの第二反射光信号ＲＳ２は、角膜ＣＯからの第一反射光信号ＲＳ１１に比べて、眼ＥＹ内の光路長差があるために位相がφεだけ遅れることを表している。
【００４６】
ここで、眼ＥＹの眼球の直径をｌe、眼球内の屈折率をｎeで表すと、第二反射光信号ＲＳ２は、第一反射光信号ＲＳ１１よりも２ｌeｎe分光路長が長くなる。このため、位相φεは、入射光の強度変調波長をλemとすると、下記式（１４）で表される。
【数８】
2019088449.tif 000010
【００４７】
第一反射光信号ＲＳ１１の強度が、第二反射光信号ＲＳ２と比して半周期ずれるためには、位相φεが下記式（１５）を満たす必要がある。
【数９】
2019088449.tif 000011
（式（１５）中、Ｎは０以上の整数を表す。）
【００４８】
このとき、入射光の強度変調波長λemは、下記式（１６）で表される。
【数１０】
2019088449.tif 000012
（式（２６）中、ｃは真空中の光速度を表す。）
【００４９】
式（１４）〜式（１６）から、角膜ＣＯにおいて、第二反射光信号ＲＳ２と第一反射光信号ＲＳ１１との位相が半周期ずれる第一変調周波数ｆemは、下記式（１７）で表される。
【数１１】
2019088449.tif 000013
【００５０】
この第一変調周波数ｆemで周期性光信号ＰＳ１が強度変調されていることにより、検出部２０で受光される、第一反射光信号ＲＳ１１と第二反射光信号ＲＳ２との位相が、第一変調周波数ｆemに応じた周期の半周期分ずれることになる。さらに、ｃ＝３．０×１０8ｍ／ｓ、Ｎ＝０、ｎe＝１．４、ｌe＝２４ｍｍとすると、式（１７）から、第一変調周波数ｆemは、２．２３ＧＨｚと計算される。もちろん、被検者の眼球直径に応じて第一変調周波数ｆemは変化する。
【００５１】
〔動作（１）〕
次に、図４のタイミングチャートを参照して、光学装置１０１の動作を説明する。ここでは、網膜ＲＥからの第二反射光信号ＲＳ２を検出する場合を例示する。
【００５２】
まず、光源１１が連続的な光信号を出力する。続いて、第一出射光変調部１２が、光源１１から出力された光信号を、第一変調周波数ｆemで強度変調する。さらに、照射部１０は、第一変調周波数ｆemで強度変調された周期性光信号ＰＳ１を、光学系２０１に向けて照射する。照射部１０から光学系２０１へ照射された周期性光信号ＰＳ１は、導光部５１を通過して、角膜ＣＯに入射する。図４（ａ）では、角膜ＣＯにおいて、第一変調周波数ｆemに対応した第一変調周期１／ｆemの半周期ごとに現れる、周期性光信号ＰＳ１の強度ＩIの時間変化を示している。
【００５３】
次に、周期性光信号ＰＳ１が角膜ＣＯで反射することで第一反射光信号ＲＳ１１が生じる。さらに、角膜ＣＯを透過した周期性光信号ＰＳ１が網膜ＲＥで反射することで第二反射光信号ＲＳ２が生じる。図４（ｂ）では、角膜ＣＯにおけるこれら第一反射光信号ＲＳ１１と第二反射光信号ＲＳ２とを含む反射光信号ＲＳの強度を示している。具体的には、第一変調周期１／ｆemの半周期ごとに現れる、第一反射光信号ＲＳ１１の強度ＩCの時間変化と、第二反射光信号ＲＳ２の強度ＩRの時間変化とを示している。このとき、第二反射光信号ＲＳ２は、眼ＥＹ内を角膜ＣＯから網膜ＲＥまで往復するとともに、第一変調周波数ｆemで強度変調されていることにより、第一反射光信号ＲＳ１１よりも信号波形の位相が第一変調周期１／ｆemの半周期分ずれている（遅れている）。したがって、反射光信号ＲＳに含まれる第一反射光信号ＲＳ１１と第二反射光信号ＲＳ２との信号波形は、位相が半周期分ずれて交互に現れるようになっている。
【００５４】
さらに、反射光信号ＲＳは、導光部５１を通過する。そして、検出部２０は、反射光信号ＲＳを受光する。第一入射光変調部２２は、第一変調周期１／ｆemのうち、所定の時間幅の信号を通過させる。ここでは、図４（ｃ）に示すように、検出部２０に到達する反射光信号ＲＳに対して、第一変調周期１／ｆemにおいて、前半部分の第一反射光信号ＲＳ１１が含まれる時間幅Ｂ1の信号を遮断し、後半部分の第二反射光信号ＲＳ２が含まれる時間幅Ｔ1の信号を通過させる。これにより、図４（ｄ）に示すように、第一入射光変調部２２は、第二反射光信号ＲＳ２を通過させることで、第二反射光信号ＲＳ２を抽出する。さらに、受光部２１は、抽出された第二反射光信号ＲＳ２の信号を検出して、その強度を測定する。このようにして、光学装置１０１は、網膜ＲＥからの第二反射光信号ＲＳ２を選択的に検出することができる。
【００５５】
〔動作（２）〕
さらに、図５のタイミングチャートを参照して、光学装置１０１の別の動作を説明する。ここでは、角膜ＣＯからの第一反射光信号ＲＳ１１を検出する場合を例示する。
【００５６】
図４を参照して説明した動作（１）と同様にして、周期性光信号ＰＳ１が光学系２０１に向けて照射されて、第一反射光信号ＲＳ１１と第二反射光信号ＲＳ２とを含む反射光信号ＲＳが生じる。周期性光信号ＰＳ１と、第一反射光信号ＲＳ１１及び第二反射光信号ＲＳ２との時間変化は、それぞれ図５（ａ），図５（ｂ）に示される。これらは、図４（ａ），図４（ｂ）で説明した内容と同様である。
【００５７】
さらに、反射光信号ＲＳは、導光部５１を通過する。そして、検出部２０は、反射光信号ＲＳを受光する。第一入射光変調部２２は、第一変調周波数ｆemに応じた第一変調周期１／ｆemのうち、所定の時間幅の信号を通過させる。ここでは、図５（ｃ）に示すように、検出部２０に到達する反射光信号ＲＳに対して、第一変調周期１／ｆemにおいて、前半部分の第一反射光信号ＲＳ１１が含まれる時間幅Ｔ2の信号を透過させ、後半部分の第二反射光信号ＲＳ２が含まれる時間幅Ｂ2の信号を遮断する。これにより、図５（ｄ）に示すように、第一入射光変調部２２は、第一反射光信号ＲＳ１１を通過させることで、第一反射光信号ＲＳ１１を抽出する。さらに、受光部２１は、抽出された第一反射光信号ＲＳ１１の信号を検出して、その強度を測定する。このようにして、光学装置１０１は、角膜ＣＯからの第一反射光信号ＲＳ１１を選択的に検出することができる。
【００５８】
［Ｉ−３．作用及び効果］
（１）光学装置１０１は、照射部１０が、角膜ＣＯと網膜ＲＥとを有する光学系２０１に向けて、周期性光信号ＰＳ１を照射する。さらに、検出部２０が、角膜ＣＯで反射した第一反射光信号ＲＳ１１と、網膜ＲＥで反射した第二反射光信号ＲＳ２とを含む反射光信号ＲＳを受光して、第一反射光信号ＲＳ１１及び第二反射光信号ＲＳ２のうち少なくとも一つを選択的に検出することができる。通常、第二反射光信号ＲＳ２に比して第一反射光信号ＲＳ１１の強度の方が強いため、反射光信号ＲＳを検出した場合に、第二反射光信号ＲＳ２の強度の測定を行うことが困難であった。光学装置１０１によれば、第二反射光信号ＲＳ２を選択的に検出することで、網膜ＲＥからの信号強度を選択的に測定することができる。したがって、角膜ＣＯからの反射ノイズを軽減して、網膜ＲＥの状態をより適切に評価及び診断することができる。または、光学装置１０１によれば、第一反射光信号ＲＳ１１を選択的に検出することで、角膜ＣＯからの信号強度を選択的に測定することができる。したがって、網膜ＲＥからの反射ノイズを軽減して、角膜ＣＯの状態をより適切に評価及び診断することができる。
【００５９】
（２）また、光学装置１０１は、照射部１０が光源１１と第一出射光変調部１２とを有する。そして、第一出射光変調部１２は、光源１１から出力された光信号を、第一変調周波数ｆemで強度変調して周期性光信号ＰＳ１を生成する。この第一変調周波数ｆemは、検出部２０で受光される第一反射光信号ＲＳ１１と第二反射光信号ＲＳ２との位相がずれる周波数となっている。これにより、照射部１０は、第一反射光信号ＲＳ１１と第二反射光信号ＲＳ２とを時間的に分離することができる。
【００６０】
（３）また、光学装置１０１は、検出部２０が、第一入射光変調部２２と、第一入射光変調部２２で抽出された信号を検出する受光部２１とを有する。そして、第一入射光変調部２２は、反射光信号ＲＳから第一変調周波数ｆemに応じた周期のうち所定の時間幅の信号を通過させることで、第一反射光信号ＲＳ１１及び第二反射光信号ＲＳ２のうち少なくとも一つを選択的に抽出する。これにより、検出部２０は、第一反射光信号ＲＳ１１と第二反射光信号ＲＳ２とを時間的に分離して検出することができる。
【００６１】
（４）また、周期性光信号ＰＳ１は、矩形波、正弦波、三角波、及び鋸歯状波から選ばれる少なくも一つの波形を含む。このように、信号の振幅が最大値と最小値のどちらかの値をとるように周期的に変化する波形であることによって、第一反射光信号ＲＳ１１と第二反射光信号ＲＳ２との信号の分離を容易にすることができる。
【００６２】
（５）ここで、ビームスプリッタである分岐部６１に変えて、ファイバーカプラを有する場合には、光ファイバ７２の中間部にファイバーカプラが設置される。このような場合には、光ファイバ７５の出射側の端面７５ａで周期性光信号ＰＳ１の反射が生じて、この光ファイバ端面７２ａからの反射光が光ファイバ７５を通過して検出部２０に入射することがある。これにより、第一反射光信号ＲＳ１１又は第二反射光信号ＲＳ２の信号強度の測定に影響を与えるおそれがある。仮に、光ファイバ端面７２ａの反射率が小さくても、一般に光ファイバ端面７２ａへの入射光は、網膜ＲＥ及び角膜ＣＯ等の測定対象から戻る光の光量よりも非常に大きくなる。このため、光ファイバ端面７２ａから発生する反射光信号の強度は、第一反射光信号ＲＳ１１及び第二反射光信号ＲＳ２の強度と同程度かそれ以上となることがある。したがって、より高い信号雑音比を得るためには、光ファイバ端面７２ａからの反射光の除去が求められる。
【００６３】
これに対して、光学装置１０１は、光ファイバ７２の端面７２ａより網膜ＲＥ側の光路部分に、分岐部６１が設けられている。このとき、光ファイバ端面７２ａは、透光性を有する第三反射部と位置づけられる。分岐部６１によって周期性光信号ＰＳ１が光ファイバ７２を通過して光学系２０１に出射され、反射光信号ＲＳが光ファイバ７４を通過して検出部２０に入射する。このように、検出部２０は、分岐部６１を通じて、光ファイバ端面７２ａを経由しない反射光信号ＲＳを受光する。したがって、照射部１０からの周期性光信号ＰＳ１が光ファイバ端面７２ａで反射することによって生じる反射光の影響を避けながら反射光信号ＲＳを受光して、第一反射光信号ＲＳ１１及び第二反射光信号ＲＳ２のうち少なくとも一つを選択的に検出することができる。よって、光ファイバ端面７２ａからの反射ノイズの影響を除いて、網膜ＲＥ又は角膜ＣＯの状態をさらに適切に評価及び診断することができる。
【００６４】
［ＩＩ．第二実施形態］
第二実施形態に係る光学装置について、図６〜図９を参照して説明する。以降、第二実施形態の説明において、この第二実施形態を、単に本実施形態ともいう。第一実施形態に係る光学装置１０１では分岐部６１を備えていたのに対して、第二実施形態では結合部４１を備えている点で相違している。また、第二実施形態では照射部１０から第一変調周波数ｆfmで強度変調されている周期性光信号ＰＳ２が照射される点で相違している。また、第二実施形態では、検出部２０が、第一反射部２１２で反射した第一反射光信号ＲＳ１３と、第二反射部２２１で反射した第二反射光信号ＲＳ２とを含む反射光信号ＲＳを受光する点で相違している。第一実施形態と同様のものについては説明を省略し、同符号を用いて説明する。
【００６５】
［ＩＩ−１．構成］
図６，図７を参照して、光学装置１０２の構成について説明する。
図６に表されるように、光学装置１０２は、照射部１０と、検出部２０とを備えている。照射部１０は、光源１１と、第一出射光変調部１３とを有している。また、検出部２０は、受光部２１と、第一入射光変調部２３とを有している。さらに、光学装置１０２は、発振部３０と、結合部４１と、導光部５２とを備えている。導光部５２は、走査部６２を有している。
【００６６】
図７に表されるように、光学装置１０２は、照射部１０から周期性光信号ＰＳ２を出力して、光学系２０２に向けて周期性光信号ＰＳ２を照射する。光学系２０２は、透光性を有する第一反射部２１２と、第一反射部２１２を透過した光を反射する第二反射部２２１とを有する。光学系２０２に向けて周期性光信号ＰＳ２が照射されることで、周期性光信号ＰＳ２は、一部が第一反射部２１２で反射するとともに、一部が第一反射部２１２を透過して第二反射部２２１に入射して、第二反射部２２１で反射する。これにより、周期性光信号ＰＳ２を受けて第一反射部２１２で反射した第一反射光信号ＲＳ１３と、第一反射部２１２を透過した周期性光信号ＰＳ２を受けて第二反射部２２１で反射した第二反射光信号ＲＳ２とを含む、反射光信号ＲＳが生じる。検出部２０は、反射光信号ＲＳを受光して、第二反射光信号ＲＳ２を選択的に検出する。さらに、選択的に検出した第二反射光信号ＲＳ２の強度を測定する。第一反射部２１２は、光学装置１０２に含まれる光学機器の反射面である。また、第二反射部２２１は、被検者に含まれる測定対象となる反射面である。本実施形態では、光学系２０２が眼ＥＹを含み、第一反射部２１２が周期性光信号ＰＳ２を導光する光ファイバ７５の出射側の端面７５ａであり、第二反射部２２１が眼ＥＹの網膜ＲＥである場合を例示する。
以下、光学装置１０２の各構成要素について説明する。
【００６７】
〔照射部〕
照射部１０は、光学系２０２に向けて、周期性光信号ＰＳ２を照射するものである。周期性光信号ＰＳ２は、第一変調周波数ｆfmで強度変調されている以外は周期性光信号ＰＳ１と同様な光信号である。
【００６８】
＜第一出射光変調部＞
第一出射光変調部１３は、光学系２０２と光源１１との間の光路に介装される。第一出射光変調部１３は、光源１１から出力された光信号を第一変調周波数ｆfmで強度変調して、周期性光信号ＰＳ２を生成する。第一出射光変調部１３は、光ファイバ端面７５ａでの反射により生じる第一反射光信号ＲＳ１３の軽減のために、第一変調周波数ｆfmでの強度変調を行うものである。第一出射光変調部１３は、生成した周期性光信号ＰＳ２を、光学系２０２に出力する。第一出射光変調部１３による光信号の強度変調は、第一出射光変調部１２と同様に、光シャッターを用いて行うことができる。第一出射光変調部１３は、発振部３０から出力されるパルス信号が入力されることで、このパルス信号に応じて第一変調周波数ｆfmが設定される。
【００６９】
〔検出部〕
検出部２０は、光学系２０２からの反射光信号ＲＳを受光して、網膜ＲＥで反射された第二反射光信号ＲＳ２を選択的に検出するものである。さらに、検出部２０は、選択的に検出した第二反射光信号ＲＳ２の強度を測定する。
【００７０】
＜第一入射光変調部＞
第一入射光変調部２３は、反射光信号ＲＳを第一変調周波数ｆfmで強度変調するものである。これにより、第一入射光変調部２３は、反射光信号ＲＳから第一変調周波数ｆfmに応じた周期のうち所定の時間幅の信号を通過させることで、第二反射光信号ＲＳ２を選択的に抽出する。第一入射光変調部２３は、抽出した信号を、受光部２１に出力する。第一入射光変調部２３による信号の抽出は、第一出射光変調部１３と同様に、光シャッターを用いて行うことができる。
【００７１】
〔発振部〕
発振部３０は、所定の周波数のパルス信号を出力するものである。本実施形態では、発振部３０は、高周波発振器３２を有しており、この高周波発振器３２がパルス信号を生成して出力する。
【００７２】
＜高周波発振器＞
高周波発振器３２は、第一変調周波数ｆfmのパルス信号を発振する以外は、高周波発振器３１と同様に構成されている。高周波発振器３２は、このパルス信号を、第一出射光変調部１３と第一入射光変調部２３とに出力する。
【００７３】
ここで、第一変調周波数ｆfmは、下記式（１）の周波数ｆ1で表される。詳細は後述する。
【数１２】
2019088449.tif 000014
（式（１）中、Ｎは、０以上の整数を表す。ｃは、真空中の光の速度を表す。ｌ1は、第一反射部２１２から第二反射部２２１までの距離を表す。ｎ1は、第一反射部２１２から第二反射部２２１までの経路中の屈折率を表す。）
【００７４】
〔結合部〕
結合部４１は、光信号を合流又は分割するものである。例えば、結合部４１は、２以上の導光路を合流して、２以上の導光路から入射した光が合流する１つの導光路を形成するものである。または、結合部４１は、１つの導光路を分割して、１つの導光路から入射した光が分岐する２以上導光路を形成するものである。本実施形態では、結合部４１として、ファイバーカプラを用いる場合を例示する。結合部４１は、第一出射光変調部１３から入射された周期性光信号ＰＳ２を導光部５２へ出射する。さらに、結合部４１は、導光部５２から入射された反射光信号ＲＳを検出部２０へ出射する。
【００７５】
〔導光部〕
導光部５２は、結合部４１から眼ＥＹまでの光路を形成する。導光部５２には、照射部１０により生成された周期性光信号ＰＳ２が入射されて、眼ＥＹに出射される。さらに、導光部５２には、網膜ＲＥで反射した第二反射光信号ＲＳ２が入射されて、結合部４１に出射される。被検者が光学装置１０２を使用する際に、導光部５２は被検者の眼ＥＹの前方に位置するように構成される。
【００７６】
＜走査部＞
走査部６２には、結合部４１を介して、照射部１０から周期性光信号ＰＳ２が入射する。さらに、走査部６２は、網膜ＲＥで反射した第二反射光信号ＲＳ２が入射する。走査部６２は、反射ミラーで周期性光信号ＰＳ２を、眼ＥＹに向けて反射することができる。また、走査部６２は、反射ミラーで第二反射光信号ＲＳ２を、集光レンズ８３に向けて反射することができる。
【００７７】
〔光学系〕
導光部５２及び光学装置１０２が用いる光学系２０２について説明する。図７では、導光部５２及び光学装置１０２が用いる光学系を概念的に表している。導光部５２は、レンズ、プリズム、ミラー、スリット等を有する結像光学系ユニット（図示略）を有している。走査部６２によって反射された光は、この結像光学系ユニットを介して眼ＥＹに入射される。本実施形態では、結像光学系ユニットとして、第一レンズ９１及び第二レンズ９２を有し、被検者が覗き込む鏡筒を用いる場合を例示する。
【００７８】
本実施形態の導光部５２は、走査部６２、光ファイバ７５、集光レンズ８３、並びに第一レンズ９１及び第二レンズ９２を備えている。また、本実施形態の光学系２０２は、導光部５２に加えて、角膜ＣＯ及び網膜ＲＥを備えている。照射部１０から出力された周期性光信号ＰＳ２は、光学系２０２に向けて照射される。光学系２０２で生じた反射光信号ＲＳは、検出部２０で受光される。
【００７９】
光源１１と第一出射光変調部１３とは、光ファイバ７１により接続されている。光源１１によって生成された光信号は、光ファイバ７１を介して第一出射光変調部１３に出力される。さらに、第一出射光変調部１３によって生成された周期性光信号ＰＳ２は、光ファイバ７２を介して結合部４１に向けて出力される。結合部４１は、照射部１０と光ファイバ７２で接続されるとともに、検出部２０と光ファイバ７４で接続されている。さらに、結合部４１は、集光レンズ８３に向けられる光ファイバ７５と接続されている。結合部４１に入力された周期性光信号ＰＳ２は、光ファイバ７５を通過して、光ファイバ７５の出射側の端面７５ａから出射される。このとき、周期性光信号ＰＳ２のうち一部は光ファイバ７５から出射されるのに対して、一部は光ファイバ端面７５ａで反射して第一反射光信号ＲＳ１３が生じる。第一反射光信号ＲＳ１３は、第一反射光信号ＲＳ１３の基となった周期性光信号ＰＳ２と同一の光路を、周期性光信号ＰＳ２と逆方向に進行する。一方、光ファイバ７５から出射された周期性光信号ＰＳ２は、集光レンズ８３に入射する。集光レンズ８３は、入射された周期性光信号ＰＳ２を、平行に進行する光として走査部６２へ出射する。走査部６２は、入射された周期性光信号ＰＳ２を、第一レンズ９１に向けて反射角度θで反射する。
【００８０】
第一レンズ９１、第二レンズ９２、並びに眼ＥＹの角膜ＣＯ及び網膜ＲＥは、光学系２０１と同様に構成されている。
【００８１】
導光部５２から出射された周期性光信号ＰＳ２は、網膜ＲＥにおいて反射される。反射された第二反射光信号ＲＳ２は、周期性光信号ＰＳ２と同一の光路を、周期性光信号ＰＳ２と逆方向に、網膜ＲＥから走査部６２へ向かって進行する。
【００８２】
走査部６２は、入射された第二反射光信号ＲＳ２を、集光レンズ８３に向けて反射角度θで反射する。集光レンズ８３は、入射された第二反射光信号ＲＳ２を集光して、光ファイバ７５に出射する。光ファイバ７５に入射された第二反射光信号ＲＳ２は、光ファイバ端面７５ａで反射された第一反射光信号ＲＳ１３とともに、結合部４１に入力される。すなわち、第二反射光信号ＲＳ２及び第一反射光信号ＲＳ１３を含む反射光信号ＲＳが、結合部４１に入力される。結合部４１に入力された反射光信号ＲＳは、第一入射光変調部２３に入力される。受光部２１と第一入射光変調部２３とは、光ファイバ７３により接続されている。第一入射光変調部２３によって抽出された光信号は、受光部２１に出力される。
【００８３】
［ＩＩ−２．動作］
図８，図９を参照して、光学装置１０２の動作について説明する。ここでは、まず、図８を参照して、周期性光信号ＰＳ２の第一変調周波数ｆfmについて説明する。続いて、図９を参照して、第一変調周波数ｆfmを利用した光学装置１０２の動作について説明する。
【００８４】
〔第一変調周波数ｆfm〕
本実施形態では、周期性光信号ＰＳ２は、第一変調周波数ｆfmで強度変調されている。第一変調周波数ｆfmは、検出部２０で受光される第一反射光信号ＲＳ１３と、検出部２０で受光される第二反射光信号ＲＳ２との位相がずれる周波数である。中でも、第一反射光信号ＲＳ１３と第二反射光信号ＲＳ２との位相が、半周期ずれることが好ましい。ここでは、検出部２０で受光される、第一反射光信号ＲＳ１３と第二反射光信号ＲＳ２との位相が、第一変調周波数ｆfmに応じた周期の半周期分ずれる場合を例示する。
【００８５】
図８に示すように、周期性光信号ＰＳ２は、光ファイバ７５を通過して、光ファイバ７５の端面７５ａに入射する。このとき、周波数ffmで強度変調されている周期性光信号ＰＳ２について、その入射光強度ＩIの時間ｔによる変化は、入射光強度ＩIの最大値を２ＩI0とすると、下記式（２１）により表される。
【数１３】
2019088449.tif 000015
【００８６】
また、周期性光信号ＰＳ２を受けて光ファイバ端面７５ａで反射した第一反射光信号ＲＳ１３について、その角膜反射光強度ＩFの時間ｔによる変化は、反射光強度ＩFの最大値を２ＩF0とすると、下記式（２２）により表される。
【数１４】
2019088449.tif 000016
【００８７】
また、光ファイバ端面７５ａを通過した周期性光信号ＰＳ２を受けて網膜ＲＥで反射した第二反射光信号ＲＳ２について、その網膜反射光強度ＩRの時間ｔによる変化は、反射光強度ＩRの最大値を２ＩR0とすると、下記式（２３）により表される。
【数１５】
2019088449.tif 000017
式（２３）は、網膜ＲＥからの第二反射光信号ＲＳ２は、光ファイバ端面７５ａからの第一反射光信号ＲＳ１３に比べて、光ファイバ端面７５ａから網膜ＲＥまでの光路長差があるために位相がφfだけ遅れることを表している。
【００８８】
ここで、光ファイバ端面７５ａから網膜ＲＥまでの光路長をｌf、光ファイバ端面７５ａから網膜ＲＥまでの平均屈折率をｎaで表すと、第二反射光信号ＲＳ２は、第一反射光信号ＲＳ１３よりも２ｌfｎa分光路長が長くなる。このため、位相φfは、入射光の強度変調波長をλfmとすると、下記式（２４）で表される。
【数１６】
2019088449.tif 000018
【００８９】
第一反射光信号ＲＳ１３の強度が、第二反射光信号ＲＳ２と比して半周期ずれるためには、位相φfが下記式（２５）を満たす必要がある。
【数１７】
2019088449.tif 000019
（式（２５）中、Ｎは０以上の整数を表す。）
【００９０】
このとき、入射光の強度変調波長λfmは、下記式（２６）で表される。
【数１８】
2019088449.tif 000020
（式（２６）中、ｃは真空中の光速度を表す。）
【００９１】
式（２４）〜式（２６）から、光ファイバ端面７５ａにおいて、第二反射光信号ＲＳ２と第一反射光信号ＲＳ１３との位相が半周期ずれる第一変調周波数ｆfmは、下記式（２７）で表される。
【数１９】
2019088449.tif 000021
【００９２】
この第一変調周波数ｆfmで周期性光信号ＰＳ２が強度変調されていることにより、検出部２０で受光される、第一反射光信号ＲＳ１３と第二反射光信号ＲＳ２との位相が、第一変調周波数ｆfmに応じた周期の半周期分ずれることになる。ｃ＝３．０×１０8ｍ／ｓ、Ｎ＝０、１＜ｎa＜１．４、ｌf＝２４０ｍｍとすると、式（２７）から、第一変調周波数ｆfmは、２２３ＭＨｚ＜ｆfm＜３１２ＭＨｚと計算される。もちろん、光ファイバ端面７５ａから網膜ＲＥまでの光路長に応じて第一変調周波数ｆfmは変化する。
【００９３】
〔動作（３）〕
次に、図９のタイミングチャートを参照して、光学装置１０２の動作を説明する。ここでは、網膜ＲＥからの第二反射光信号ＲＳ２を検出する場合を例示する。
【００９４】
まず、光源１１が連続的な光信号を出力する。続いて、第一出射光変調部１３が、光源１１から出力された光信号を、第一変調周波数ｆfmで強度変調する。さらに、照射部１０は、第一変調周波数ｆfmで強度変調された周期性光信号ＰＳ２を、結合部４１を介して光学系２０２に向けて照射する。結合部４１に入力された周期性光信号ＰＳ２は、光ファイバ７５を通過して、光ファイバ７５の出射側の端面７５ａから出射される。図９（ａ）では、光ファイバ端面７５ａにおいて、第一変調周波数ｆfmに対応した第一変調周期１／ｆfmの半周期ごとに現れる、周期性光信号ＰＳ２の強度ＩIの時間変化を示している。このとき、周期性光信号ＰＳ２の一部は光ファイバ７５から出射されて集光レンズ８３に入射し、周期性光信号ＰＳ２の一部は光ファイバ端面７５ａで反射して第一反射光信号ＲＳ１３が生じる。集光レンズ８３に入射した周期性光信号ＰＳ２は、導光部５２を通過して、角膜ＣＯに入射する。
【００９５】
次に、角膜ＣＯを透過した周期性光信号ＰＳ２が網膜ＲＥで反射することで第二反射光信号ＲＳ２が生じる。第二反射光信号ＲＳ２は、導光部５２を通過する。さらに、第二反射光信号ＲＳ２は、集光レンズ８３を介して、光ファイバ端面７５ａから光ファイバ７５に入射する。図９（ｂ）では、光ファイバ端面７５ａにおけるこれら第一反射光信号ＲＳ１３と第二反射光信号ＲＳ２とを含む反射光信号ＲＳの強度を示している。具体的には、第一変調周期１／ｆfmの半周期ごとに現れる、第一反射光信号ＲＳ１３の強度ＩFの時間変化と、第二反射光信号ＲＳ２の強度ＩRの時間変化とを示している。このとき、第二反射光信号ＲＳ２は、光ファイバ端面７５ａから網膜ＲＥまで往復するとともに、第一変調周波数ｆfmで強度変調されていることにより、第一反射光信号ＲＳ１３よりも信号波形の位相が第一変調周期１／ｆfmの半周期分ずれている（遅れている）。したがって、反射光信号ＲＳに含まれる第一反射光信号ＲＳ１３と第二反射光信号ＲＳ２との信号波形は、位相が半周期分ずれて交互に現れるようになっている。
【００９６】
さらに、反射光信号ＲＳは、光ファイバ７５、結合部４１、及び光ファイバ７４を通過する。そして、検出部２０は、反射光信号ＲＳを受光する。第一入射光変調部２３は、第一変調周期１／ｆfmのうち、所定の時間幅の信号を通過させる。ここでは、図９（ｃ）に示すように、検出部２０に到達する反射光信号ＲＳに対して、第一変調周期１／ｆfmにおいて、前半部分の第一反射光信号ＲＳ１３が含まれる時間幅Ｂ3の信号を遮断し、後半部分の第二反射光信号ＲＳ２が含まれる時間幅Ｔ3の信号を通過させる。これにより、図９（ｄ）に示すように、第一入射光変調部２３は、第二反射光信号ＲＳ２を通過させることで、第二反射光信号ＲＳ２を抽出する。さらに、受光部２１は、抽出された第二反射光信号ＲＳ２の信号を検出して、その強度を測定する。このようにして、光学装置１０２は、網膜ＲＥからの第二反射光信号ＲＳ２を選択的に検出することができる。
【００９７】
［ＩＩ−３．作用及び効果］
（１）光学装置１０２は、照射部１０が、光ファイバ７５の端面７５ａと網膜ＲＥとを有する光学系２０２に向けて、周期性光信号ＰＳ２を照射する。さらに、検出部２０は、光ファイバ端面７５ａで反射した第一反射光信号ＲＳ１３と、網膜ＲＥで反射した第二反射光信号ＲＳ２とを含む反射光信号ＲＳを受光して、第二反射光信号ＲＳ２を選択的に検出することができる。ここで、網膜ＲＥからの第二反射光信号ＲＳ２の強度に比して、光ファイバ端面７５ａのような光学機器に起因する第一反射光信号ＲＳ１３の強度の方が、同程度であるか強くなることがある。このため、反射光信号ＲＳを検出した場合に、第二反射光信号ＲＳ２の強度の測定を行うことが困難となることがあった。光学装置１０２によれば、第二反射光信号ＲＳ２を選択的に検出することで、網膜ＲＥからの信号強度を選択的に測定することができる。したがって、光ファイバ７５の端面７５ａからの反射ノイズを軽減して、網膜ＲＥの状態をより適切に評価及び診断することができる。
【００９８】
［ＩＩＩ．第三実施形態］
第三実施形態に係る光学装置について、図１０〜図１４を参照して説明する。以降、第三実施形態の説明において、この第三実施形態を、単に本実施形態ともいう。第三実施形態では照射部１０から第一変調周波数ｆem及び第二変調周波数ｆfmで強度変調されている周期性光信号ＰＳ３が照射される点で相違している。また、第三実施形態では、検出部２０が、第一反射部２１１で反射した第一反射光信号ＲＳ１１と、第二反射部２２１で反射した第二反射光信号ＲＳ２と、第三反射部２３１で反射した第三反射光３とを含む反射光信号ＲＳを受光する点で相違している。第一実施形態又は第二実施形態と同様のものについては説明を省略し、同符号を用いて説明する。
【００９９】
［ＩＩＩ−１．構成］
図１０，図１１を参照して、光学装置１０３の構成について説明する。
図１０に表されるように、光学装置１０３は、照射部１０と、検出部２０とを備えている。照射部１０は、光源１１と、第二出射光変調部１４とを有している。また、検出部２０は、受光部２１と、第二入射光変調部２４とを有している。さらに、光学装置１０３は、発振部３０と、結合部４１と、導光部５２とを備えている。発振部３０は、高周波発振器３１と、スイッチ３３とを有している。
【０１００】
図１１に表されるように、光学装置１０３は、照射部１０から周期性光信号ＰＳ３を出力して、光学系２０３に向けて周期性光信号ＰＳ３を照射する。光学系２０３は、透光性を有する第三反射部２３１と、透光性を有し、第三反射部２３１を透過した光を反射するする第一反射部２１１と、第三反射部２３１及び第一反射部２１１を透過した光を反射する第二反射部２２１とを有する。光学系２０３に向けて周期性光信号ＰＳ３が照射されることで、周期性光信号ＰＳ３は、一部が第三反射部２３１で反射するとともに、一部が第三反射部２３１を透過して第一反射部２１１に入射する。さらに、入射した周期性光信号ＰＳ３の一部が第一反射部２１１で反射するとともに、一部が第一反射部２１１を透過して第二反射部２２１に入射して、第二反射部２２１で反射する。これにより、周期性光信号ＰＳ３を受けて第三反射部２３１で反射した第三反射光信号ＲＳ３と、第三反射部２３１を透過した周期性光信号ＰＳ３を受けて第一反射部２１１で反射した第一反射光信号ＲＳ１１と、第三反射部２３１及び第一反射部２１１を透過した周期性光信号ＰＳ３を受けて第二反射部２２１で反射した第二反射光信号ＲＳ２とを含む、反射光信号ＲＳが生じる。検出部２０は、反射光信号ＲＳを受光して、第一反射光信号ＲＳ１１及び第二反射光信号ＲＳ２のうち少なくとも一つを選択的に検出する。さらに、選択的に検出した信号の強度を測定する。本実施形態では、光学系２０３が眼ＥＹを含み、第一反射部２１１が角膜ＣＯであり、第二反射部２２１が眼ＥＹの網膜ＲＥであり、第三反射部２３１が光ファイバ７５の端面７５ａである場合を例示する。
以下、光学装置１０３の各構成要素について説明する。
【０１０１】
〔照射部〕
照射部１０は、光学系２０３に向けて、光ファイバ端面７５ａ及び角膜ＣＯを透過して網膜ＲＥに入射する周期性光信号ＰＳ３を照射するものである。周期性光信号ＰＳ３は、第一変調周波数ｆem及び第二変調周波数ｆfmで強度変調されている以外は周期性光信号ＰＳ１と同様な光信号である。
【０１０２】
＜第二出射光変調部＞
第二出射光変調部１４は、光学系２０３と光源１１との間の光路に介装される。第二出射光変調部１４は、光源１１から出力された光信号を第一変調周波数ｆem及び第二変調周波数ｆfmで強度変調して、周期性光信号ＰＳ３を生成する。第二出射光変調部１４は、角膜ＣＯでの反射により生じる第一反射光信号ＲＳ１１の軽減のために行う第一変調周波数ｆemでの強度変調と、光ファイバ端面７５ａでの反射により生じる第三反射光信号ＲＳ３の軽減のために行う第二変調周波数ｆfmでの強度変調とを重ねて行うものである。第二出射光変調部１４は、生成した周期性光信号ＰＳ３を、光学系２０３に出力する。第二出射光変調部１４による光信号の強度変調は、第一出射光変調部１２と同様に、光シャッターを用いて行うことができる。第二出射光変調部１４は、発振部３０から出力されるパルス信号が入力されることで、このパルス信号に応じて第一変調周波数ｆem及び第二変調周波数ｆfmが設定される。
【０１０３】
〔検出部〕
検出部２０は、光学系２０３からの反射光信号ＲＳを受光して、角膜ＣＯで反射された第一反射光信号ＲＳ１１、及び網膜ＲＥで反射された第二反射光信号ＲＳ２のうち少なくとも一つを選択的に検出するものである。さらに、検出部２０は、選択的に検出した信号の強度を測定する。
【０１０４】
＜第二入射光変調部＞
第二入射光変調部２４は、反射光信号ＲＳを第一変調周波数ｆem及び第二変調周波数ｆfmで強度変調するものである。これにより、第二入射光変調部２４は、反射光信号ＲＳから第二変調周波数ｆfmに応じた周期のうち所定の時間幅の信号を通過させることで、第一反射光信号ＲＳ１１及び第二反射光信号ＲＳ２を抽出する。さらに、第二入射光変調部２４は、反射光信号ＲＳから第一変調周波数ｆemに応じた周期のうち所定の時間幅の信号を通過させることで、第一反射光信号ＲＳ１１及び第二反射光信号ＲＳ２のうち少なくとも一つを選択的に抽出する。第二入射光変調部２４は、抽出した信号を、受光部２１に出力する。第二入射光変調部２４による光信号の強度変調は、第二出射光変調部１４と同様に、光シャッターを用いて行うことができる。
【０１０５】
〔発振部〕
発振部３０は、所定の周波数のパルス信号を出力するものである。本実施形態では、発振部３０は、高周波発振器３１及びスイッチ３３を有しており、この高周波発振器３１及びスイッチ３３がパルス信号を生成して出力する。
【０１０６】
＜高周波発振器＞
高周波発振器３１は、第一実施形態で説明した高周波発振器３１と同様に構成されている。本実施形態では、高周波発振器３１は、第一変調周波数ｆemのパルス信号をスイッチ３３に出力する。
【０１０７】
ここで、第一変調周波数ｆemは、下記式（１）の周波数ｆ1で表される。詳細は後述する。
【数２０】
2019088449.tif 000022
（式（１）中、Ｎは、０以上の整数を表す。ｃは、真空中の光の速度を表す。ｌ1は、第一反射部２１１から第二反射部２２１までの距離を表す。ｎ1は、第一反射部２１１から第二反射部２２１までの経路中の屈折率を表す。）
【０１０８】
＜スイッチ＞
スイッチ３３は、入力された信号に対して出力のオンオフを切り替えることで、所望の信号を出力するスイッチング素子である。本実施形態では、スイッチ３３として電界効果トランジスタ（ＦＥＴ；Field Effect Transistor）を用いる場合を例示する。スイッチ３３は、これに限定されず、例えば、絶縁ゲートバイポーラトランジスタ（ＩＧＢＴ；Insulated Gate Bipolar Transistor）等を用いることができる。本実施形態では、スイッチ３３は、高周波発振器３１から入力された第一変調周波数ｆemのパルス信号に対して、第二変調周波数ｆfmでスイッチングする。そして、スイッチ３３は、このパルス信号を、第二出射光変調部１４と第二入射光変調部２４とに出力する。スイッチ３３から出力されるパルス信号は、第一変調周波数ｆemのパルス信号の群が、第二変調周波数ｆfmの周波数で現れるパターンを有している。
【０１０９】
ここで、第二変調周波数ｆfmは、下記式（２）の周波数ｆ2で表される。詳細は後述する。
【数２１】
2019088449.tif 000023
（式（２）中、Ｎは、０以上の整数を表す。ｃは、真空中の光の速度を表す。ｌ2は、第三反射部２３１から第二反射部２２１までの距離を表す。ｎ2は、第三反射部２３１から第二反射部２２１までの経路中の屈折率を表す。）
【０１１０】
〔結合部〕
結合部４１は、第二出射光変調部１４から入射された周期性光信号ＰＳ３を導光部５２へ出射する。さらに、結合部４１は、導光部５２から入射された反射光信号ＲＳを検出部２０へ出射する。
【０１１１】
〔導光部〕
導光部５２には、照射部１０により生成された周期性光信号ＰＳ３が入射されて、眼ＥＹに出射される。さらに、導光部５２には、角膜ＣＯで反射した第一反射光信号ＲＳ１１と、網膜ＲＥで反射した第二反射光信号ＲＳ２とが入射されて、結合部４１に出射される。被検者が光学装置１０３を使用する際に、導光部５２は被検者の眼ＥＹの前方に位置するように構成される。
【０１１２】
＜走査部＞
走査部６２には、結合部４１を介して、照射部１０から周期性光信号ＰＳ３が入射する。さらに、走査部６２は、角膜ＣＯで反射した第一反射光信号ＲＳ１１と、網膜ＲＥで反射した第二反射光信号ＲＳ２とが入射する。走査部６２は、反射ミラーで周期性光信号ＰＳ３を、眼ＥＹに向けて反射することができる。また、走査部６２は、反射ミラーで第一反射光信号ＲＳ１１と第二反射光信号ＲＳ２とを、集光レンズ８３に向けて反射することができる。
【０１１３】
〔光学系〕
導光部５２及び光学装置１０３が用いる光学系２０３について説明する。図１１では、導光部５２及び光学装置１０３が用いる光学系を概念的に表している。導光部５２は、レンズ、プリズム、ミラー、スリット等を有する結像光学系ユニット（図示略）を有している。走査部６２によって反射された光は、この結像光学系ユニットを介して眼ＥＹに入射される。本実施形態では、結像光学系ユニットとして、第一レンズ９１及び第二レンズ９２を有し、被検者が覗き込む鏡筒を用いる場合を例示する。
【０１１４】
本実施形態の導光部５２は、走査部６２、光ファイバ７５、集光レンズ８３、並びに第一レンズ９１及び第二レンズ９２を備えている。また、本実施形態の光学系２０３は、導光部５２に加えて、角膜ＣＯ及び網膜ＲＥを備えている。照射部１０から出力された周期性光信号ＰＳ３は、光学系２０３に向けて照射される。光学系２０３で生じた反射光信号ＲＳは、検出部２０で受光される。
【０１１５】
光源１１と第二出射光変調部１４とは、光ファイバ７１により接続されている。光源１１によって生成された光信号は、光ファイバ７１を介して第二出射光変調部１４に出力される。さらに、第二出射光変調部１４によって生成された周期性光信号ＰＳ３は、光ファイバ７２を介して結合部４１に向けて出力される。結合部４１は、照射部１０と光ファイバ７２で接続されるとともに、検出部２０と光ファイバ７４で接続されている。さらに、結合部４１は、集光レンズ８３に向けられる光ファイバ７５と接続されている。結合部４１に入力された周期性光信号ＰＳ３は、光ファイバ７５を通過して、光ファイバ７５の出射側の端面７５ａから出射される。このとき、周期性光信号ＰＳ３のうち一部は光ファイバ７５から出射されるのに対して、一部は光ファイバ端面７５ａで反射して第三反射光信号ＲＳ３が生じる。第三反射光信号ＲＳ３は、第三反射光信号ＲＳ３の基となった周期性光信号ＰＳ３と同一の光路を、周期性光信号ＰＳ３と逆方向に進行する。一方、光ファイバ７５から出射された周期性光信号ＰＳ３は、集光レンズ８３に入射する。集光レンズ８３は、入射された周期性光信号ＰＳ３を、平行に進行する光として走査部６２へ出射する。走査部６２は、入射された周期性光信号ＰＳ３を、第一レンズ９１に向けて反射角度θで反射する。
【０１１６】
第一レンズ９１、第二レンズ９２、並びに眼ＥＹの角膜ＣＯ及び網膜ＲＥは、光学系２０１と同様に構成されている。
【０１１７】
導光部５２から出射された周期性光信号ＰＳ３は、角膜ＣＯ及び網膜ＲＥにおいて反射される。反射された第一反射光信号ＲＳ１１及び第二反射光信号ＲＳ２は、周期性光信号ＰＳ３と同一の光路を、周期性光信号ＰＳ３と逆方向に、角膜ＣＯ及び網膜ＲＥから走査部６２へ向かって進行する。
【０１１８】
走査部６２は、入射された第一反射光信号ＲＳ１１及び第二反射光信号ＲＳ２を、集光レンズ８３に向けて反射角度θで反射する。集光レンズ８３は、入射された第一反射光信号ＲＳ１１及び第二反射光信号ＲＳ２を集光して、光ファイバ７５に出射する。光ファイバ７５に入射された第一反射光信号ＲＳ１１及び第二反射光信号ＲＳ２は、光ファイバ端面７５ａで反射された第三反射光信号ＲＳ３とともに、結合部４１に入力される。すなわち、第一反射光信号ＲＳ１１、第二反射光信号ＲＳ２、及び第三反射光信号ＲＳ３を含む反射光信号ＲＳが、結合部４１に入力される。結合部４１に入力された反射光信号ＲＳは、第二入射光変調部２４に入力される。受光部２１と第二入射光変調部２４とは、光ファイバ７３により接続されている。第二入射光変調部２４によって抽出された光信号は、受光部２１に出力される。
【０１１９】
［ＩＩＩ−２．動作］
図１２，図１３を参照して、光学装置１０３の動作について説明する。ここでは、まず、図１２を参照して、周期性光信号ＰＳ３の第一変調周波数ｆem及び第二変調周波数ｆfmについて説明する。続いて、図１３，図１４を参照して、第一変調周波数ｆem及び第二変調周波数ｆfmを利用した光学装置１０３の動作について説明する。
【０１２０】
〔第一変調周波数ｆem〕
本実施形態では、周期性光信号ＰＳ３は、第一変調周波数ｆem及び第二変調周波数ｆfmで強度変調されている。第一変調周波数ｆemは、検出部２０で受光される第一反射光信号ＲＳ１１と、検出部２０で受光される第二反射光信号ＲＳ２との位相がずれる周波数である。中でも、第一反射光信号ＲＳ１１と第二反射光信号ＲＳ２との位相が、半周期ずれることが好ましい。ここでは、検出部２０で受光される、第一反射光信号ＲＳ１１と第二反射光信号ＲＳ２との位相が、第一変調周波数ｆemに応じた周期の半周期分ずれる場合を例示する。
【０１２１】
図１２に示すように、周期性光信号ＰＳ３は、光ファイバ７５を通過して、眼ＥＹに入射する。第一実施形態において説明したとおり、角膜ＣＯにおいて、周期性光信号ＰＳ３を受けて角膜ＣＯで反射した第一反射光信号ＲＳ１１と、角膜ＣＯを通過した周期性光信号ＰＳ３を受けて網膜ＲＥで反射した第二反射光信号ＲＳ２との位相が半周期ずれる第一変調周波数ｆemは、上記式（１７）で表される。また、この第一変調周波数ｆemで周期性光信号ＰＳ３が強度変調されていることにより、検出部２０で受光される、第一反射光信号ＲＳ１１と第二反射光信号ＲＳ２との位相が、第一変調周波数ｆemに応じた周期の半周期分ずれることになる。さらに、式（１７）から、第一変調周波数ｆemは、２．２３ＧＨｚと計算される。
【０１２２】
〔第二変調周波数ｆfm〕
第二変調周波数ｆfmは、検出部２０で受光される第三反射光信号ＲＳ３と、検出部２０で受光される第一反射光信号ＲＳ１１及び第二反射光信号ＲＳ２との位相がずれる周波数である。中でも、第三反射光信号ＲＳ３と、検出部２０で受光される第一反射光信号ＲＳ１１及び第二反射光信号ＲＳ２との位相が、半周期ずれることが好ましい。ここでは、検出部２０で受光される、第三反射光信号ＲＳ３と、検出部２０で受光される第一反射光信号ＲＳ１１及び第二反射光信号ＲＳ２との位相が、第二変調周波数ｆfmに応じた周期の半周期分ずれる場合を例示する。
【０１２３】
図１２に示すように、周期性光信号ＰＳ３は、光ファイバ７５を通過して、光ファイバ７５の端面７５ａに入射する。第二実施形態において説明したとおり、光ファイバ端面７５ａにおいて、第三反射光信号ＲＳ３と、第一反射光信号ＲＳ１１及び第二反射光信号ＲＳ２との位相が半周期ずれる第二変調周波数ｆfmは、上記式（２７）で表される。また、
この第二変調周波数ｆfmで周期性光信号ＰＳ３が強度変調されていることにより、検出部２０で受光される、第三反射光信号ＲＳ３と、第一反射光信号ＲＳ１１及び第二反射光信号ＲＳ２との位相が、第二変調周波数ｆfmに応じた周期の半周期分ずれることになる。さらに、式（２７）から、第二変調周波数ｆfmは、２２３ＭＨｚ＜ｆfm＜３１２ＭＨｚと計算される。
【０１２４】
〔動作（４）〕
次に、図１３のタイミングチャートを参照して、光学装置１０３の動作を説明する。ここでは、網膜ＲＥからの第二反射光信号ＲＳ２を検出する場合を例示する。
【０１２５】
まず、光源１１が連続的な光信号を出力する。続いて、第二出射光変調部１４が、光源１１から出力された光信号を、第一変調周波数ｆem及び第二変調周波数ｆfmで強度変調する。さらに、照射部１０は、第一変調周波数ｆem及び第二変調周波数ｆfmで強度変調された周期性光信号ＰＳ３を、結合部４１を介して光学系２０３に向けて照射する。結合部４１に入力された周期性光信号ＰＳ３は、光ファイバ７５を通過して、光ファイバ７５の出射側の端面７５ａから出射される。図１３（ａ）では、光ファイバ端面７５ａにおいて、第一変調周波数ｆemに対応した第一変調周期１／ｆemの半周期ごとに現れる信号の群が、さらに第二変調周波数ｆfmに対応した第二変調周期１／ｆfmの半周期ごとに現れる、周期性光信号ＰＳ３の強度ＩIの時間変化を示している。このとき、周期性光信号ＰＳ３の一部は光ファイバ７５から出射されて集光レンズ８３に入射し、周期性光信号ＰＳ３の一部は光ファイバ端面７５ａで反射して第三反射光信号ＲＳ３が生じる。集光レンズ８３に入射した周期性光信号ＰＳ３は、導光部５２を通過して、角膜ＣＯに入射する。
【０１２６】
次に、周期性光信号ＰＳ３が角膜ＣＯで反射することで第一反射光信号ＲＳ１１が生じる。さらに、角膜ＣＯを透過した周期性光信号ＰＳ３が網膜ＲＥで反射することで第二反射光信号ＲＳ２が生じる。第一反射光信号ＲＳ１１及び第二反射光信号ＲＳ２は、導光部５２を通過する。さらに、第一反射光信号ＲＳ１１及び第二反射光信号ＲＳ２は、集光レンズ８３を介して、光ファイバ端面７５ａから光ファイバ７５に入射する。図１３（ｂ）では、光ファイバ端面７５ａにおけるこれら第一反射光信号ＲＳ１１と第二反射光信号ＲＳ２と第三反射光信号ＲＳ３とを含む反射光信号ＲＳの強度を示している。具体的には、第一変調周期１／ｆem及び第二変調周期１／ｆfmそれぞれの半周期ごとに現れる、第一反射光信号ＲＳ１１の強度ＩCの時間変化と、第二反射光信号ＲＳ２の強度ＩRの時間変化と、第三反射光信号ＲＳ３の強度ＩFの時間変化を示している。このとき、第二反射光信号ＲＳ２は、眼ＥＹ内を角膜ＣＯから網膜ＲＥまで往復するとともに、第一変調周波数ｆemで強度変調されていることにより、第一反射光信号ＲＳ１１よりも信号波形の位相が第一変調周期１／ｆemの半周期分ずれている（遅れている）。したがって、反射光信号ＲＳに含まれる第一反射光信号ＲＳ１１と第二反射光信号ＲＳ２との信号波形は、位相が半周期分ずれて交互に現れるようになっている。さらに、第一反射光信号ＲＳ１１及び第二反射光信号ＲＳ２は、光ファイバ端面７５ａから網膜ＲＥまで往復するとともに、第二変調周波数ｆfmで強度変調されていることにより、第三反射光信号ＲＳ３よりも信号波形の位相が第二変調周期１／ｆfmの半周期分ずれている（遅れている）。したがって、反射光信号ＲＳに含まれる第一反射光信号ＲＳ１１及び第二反射光信号ＲＳ２と、第三反射光信号ＲＳ３との信号波形は、位相が半周期分ずれて交互に現れるようになっている。
【０１２７】
さらに、反射光信号ＲＳは、光ファイバ７５、結合部４１、及び光ファイバ７４を通過する。そして、検出部２０は、反射光信号ＲＳを受光する。第二入射光変調部２４は、第一変調周期１／ｆemのうち、所定の時間幅の信号を通過させるとともに、第二変調周期１／ｆfmのうち、所定の時間幅の信号を通過させる。ここでは、図１３（ｃ）に示すように、検出部２０に到達する反射光信号ＲＳに対して、第二変調周期１／ｆfmに対して、前半部分の第三反射光信号ＲＳ３が含まれる時間幅Ｂ3の信号を遮断し、後半部分の第一反射光信号ＲＳ１１及び第二反射光信号ＲＳ２が含まれる時間幅Ｔ3の信号を通過させる。さらに、時間幅Ｔ3を通過した第一反射光信号ＲＳ１１及び第二反射光信号ＲＳ２に対して、第一変調周期１／ｆemにおいて、前半部分の第一反射光信号ＲＳ１１が含まれる時間幅Ｂ1の信号を遮断し、後半部分の第二反射光信号ＲＳ２が含まれる時間幅Ｔ1の信号を通過させる。これにより、図１３（ｄ）に示すように、第二入射光変調部２４は、第二反射光信号ＲＳ２を通過させることで、第二反射光信号ＲＳ２を抽出する。さらに、受光部２１は、抽出された第二反射光信号ＲＳ２の信号を検出して、その強度を測定する。このようにして、光学装置１０３は、網膜ＲＥからの第二反射光信号ＲＳ２を選択的に検出することができる。
【０１２８】
〔動作（５）〕
さらに、図１４のタイミングチャートを参照して、光学装置１０３の別の動作を説明する。ここでは、角膜ＣＯからの第一反射光信号ＲＳ１１を検出する場合を例示する。
【０１２９】
図１３を参照して説明した動作（５）と同様にして、周期性光信号ＰＳ３が光学系２０３に向けて照射されて、第一反射光信号ＲＳ１１と第二反射光信号ＲＳ２と第三反射光信号ＲＳ３とを含む反射光信号ＲＳが生じる。周期性光信号ＰＳ３と、第一反射光信号ＲＳ１１、第二反射光信号ＲＳ２、及び第三反射光信号ＲＳ３との時間変化は、それぞれ図１４（ａ），図１４（ｂ）に示される。これらは、図１３（ａ），図１３（ｂ）で説明した内容と同様である。
【０１３０】
さらに、反射光信号ＲＳは、光ファイバ７５、結合部４１、及び光ファイバ７４を通過する。そして、検出部２０は、反射光信号ＲＳを受光する。第二入射光変調部２４は、第一変調周波数ｆemに応じた、第一変調周期１／ｆemのうち、所定の時間幅の信号を通過させるとともに、第二変調周波数ｆfmに応じた第二変調周期１／ｆfmのうち、所定の時間幅の信号を通過させる。ここでは、図１４（ｃ）に示すように、検出部２０に到達する反射光信号ＲＳに対して、第二変調周期１／ｆfmにおいて、前半部分の第三反射光信号ＲＳ３が含まれる時間幅Ｂ3の信号を遮断し、後半部分の第一反射光信号ＲＳ１１及び第二反射光信号ＲＳ２が含まれる時間幅Ｔ3の信号を通過させる。さらに、時間幅Ｔ3を通過した第一反射光信号ＲＳ１１及び第二反射光信号ＲＳ２に対して、第一変調周期１／ｆemにおいて、前半部分の第一反射光信号ＲＳ１１が含まれる時間幅Ｔ2の信号を通過させて、後半部分の第二反射光信号ＲＳ２が含まれる時間幅Ｂ2の信号を遮断する。これにより、図１４（ｄ）に示すように、第二入射光変調部２４は、第一反射光信号ＲＳ１１を通過させることで、第一反射光信号ＲＳ１１を抽出する。さらに、受光部２１は、抽出された第一反射光信号ＲＳ１１の信号を検出して、その強度を測定する。このようにして、光学装置１０３は、角膜ＣＯからの第一反射光信号ＲＳ１１を選択的に検出することができる。
【０１３１】
［ＩＩＩ−３．作用及び効果］
（１）光学装置１０３は、照射部１０が、光ファイバ７５の端面７５ａと角膜ＣＯと網膜ＲＥとを有する光学系２０３に向けて、周期性光信号ＰＳ３を照射する。さらに、検出部２０が、光ファイバ端面７５ａで反射した第三反射光信号ＲＳ３と、角膜ＣＯで反射した第一反射光信号ＲＳ１１と、網膜ＲＥで反射した第二反射光信号ＲＳ２とを含む反射光信号ＲＳを受光して、第二反射光信号ＲＳ２を選択的に検出することができる。光学装置１０３によれば、第二反射光信号ＲＳ２を選択的に検出することで、網膜ＲＥからの信号強度を選択的に測定することができる。したがって、光ファイバ７５の端面７５ａからの反射ノイズと角膜ＣＯからの反射ノイズを共に軽減して、網膜ＲＥの状態をより適切に評価及び診断することができる。または、光学装置１０３によれば、第一反射光信号ＲＳ１１を選択的に検出することで、角膜ＣＯからの信号強度を選択的に測定することができる。したがって、光ファイバ７５の端面７５ａからの反射ノイズと網膜ＲＥからの反射ノイズを共に軽減して、角膜ＣＯの状態をより適切に評価及び診断することができる。
【０１３２】
（２）また、光学装置１０３は、照射部１０が光源１１と第二出射光変調部１４とを有する。そして、第二出射光変調部１４は、光源１１から出力された光信号を、第一変調周波数ｆem及び第二変調周波数ｆfmで強度変調して周期性光信号ＰＳ３を生成する。この第一変調周波数ｆemは、検出部２０で受光される第一反射光信号ＲＳ１１と第二反射光信号ＲＳ２との位相がずれる周波数となっている。また、第二変調周波数ｆfmは、検出部２０で受光される第三反射光信号ＲＳ３と第一反射光信号ＲＳ１１及び第二反射光信号ＲＳ２との位相がずれる周波数となっている。これにより、照射部１０は、第三反射光信号ＲＳ３と第一反射光信号ＲＳ１１及び第二反射光信号ＲＳ２とを時間的に分離するとともに、第一反射光信号ＲＳ１１と第二反射光信号ＲＳ２とを時間的に分離することができる。
【０１３３】
（３）また、光学装置１０３は、検出部２０が、第二入射光変調部２４と、第二入射光変調部２４で抽出された信号を検出する受光部２１とを有する。そして、第二入射光変調部２４は、反射光信号ＲＳから第二変調周波数ｆfmに応じた周期のうち所定の時間幅の信号を通過させることで、第一反射光信号ＲＳ１１及び第二反射光信号ＲＳ２を選択的に抽出する。さらに、第二入射光変調部２４は、反射光信号ＲＳから第一変調周波数ｆemに応じた周期のうち所定の時間幅の信号を通過させることで、第二反射光信号ＲＳ２を選択的に抽出する。これにより、検出部２０は、第三反射光信号ＲＳ３と第一反射光信号ＲＳ１１及び第二反射光信号ＲＳ２とを時間的に分離するとともに、第一反射光信号ＲＳ１１と第二反射光信号ＲＳ２とを時間的に分離して検出することができる。
【０１３４】
［ＩＶ．その他］
〔ＩＶ−１．第一実施形態の変形例〕
上述した第一実施形態では、第一反射部２１１が角膜ＣＯであり、第二反射部２２１が網膜ＲＥである場合について説明した。第一反射部２１１及び第二反射部２２１はこれらに限定されず、第一反射部２１１が透光性を有し、第二反射部２２１が第一反射部２１１を透過した光を反射するものであれば、適宜変更することができる。例えば、第一反射部２１１として、硝子体、水晶体等が挙げられる。また、第二反射部２２１として、視神経乳頭、脈絡膜等が挙げられる。これらの第一反射部２１１及び第二反射部２２１は適宜組み合わせることができる。
【０１３５】
〔ＩＶ−２．第二実施形態の変形例〕
上述した第二実施形態では、第一反射部２１２が光ファイバ７５の端面７５ａであり、第二反射部２２１が眼ＥＹの網膜ＲＥである場合について説明した。第一反射部２１２及び第二反射部２２１はこれらに限定されず、第一反射部２１２が透光性を有し、第二反射部２２１が第一反射部２１１を透過した光を反射するものであれば、適宜変更することができる。例えば、第一反射部２１２として、光ファイバやプリズム等の導光部材；集光レンズ、リレーレンズ等のレンズ等の光学装置に含まれる反射面が挙げられる。また、第二反射部２２１として、角膜、視神経乳頭、脈絡膜、硝子体、水晶体等の測定対象が挙げられる。これらの第一反射部２１２及び第二反射部２２１は適宜組み合わせることができる。また、上述した第二実施形態では、光学機器として眼底撮影装置を例示したが、これに限定されず、鼻腔、咽頭、喉頭、気管、気管支、食道、胃、十二指腸、小腸、大腸等の生体内の組織観察に用いられるレーザー走査型ＭＥＭＳ内視鏡などにも適用することができる。
【０１３６】
〔ＩＶ−３．第三実施形態の変形例〕
上述した第三実施形態では、第一反射部２１１が角膜ＣＯであり、第二反射部２２１が眼ＥＹの網膜ＲＥであり、第三反射部２３１が光ファイバ７５の端面７５ａである場合について説明した。第一反射部２１１、第二反射部２２１、及び第三反射部２３１はこれらに限定されず、適宜変更することができる。例えば、第一反射部２１１及び第二反射部２２１としては、上述した第一実施形態の変形例で挙げた第一反射部２１１及び第二反射部２２１を適用することができる。また、第三反射部２３１としては、上述した第二実施形態の変形例で挙げた第一反射部２１２を適用することができる。
【符号の説明】
【０１３７】
１０１，１０２，１０３  光学装置
１０  照射部
１１  光源
１２，１３  第一出射光変調部
１４  第二出射光変調部
２０  検出部
２１  受光部
２２，２３  第一入射光変調部
２４  第二入射光変調部
３０  発振部
３１，３２  高周波発振器
３３  スイッチ
４１  結合部
５１，５２  導光部
６１  分岐部
６２  走査部
７５ａ  光ファイバ端面
２０１，２０２，２０３  光学系
２１１，２１２  第一反射部
２２１  第二反射部
２３１  第三反射部
ＥＹ  眼
ＣＯ  角膜
ＲＥ  網膜
ＰＳ１，ＰＳ２，ＰＳ３  周期性光信号
ＲＳ  反射光信号
ＲＳ１１，ＲＳ１３  第一反射光信号
ＲＳ２  第二反射光信号
ＲＳ３  第三反射光信号
【図１】
2019088449.tif 000027
【図２】
2019088449.tif 000028
【図３】
2019088449.tif 000029
【図４】
2019088449.tif 000030
【図５】
2019088449.tif 000031
【図６】
2019088449.tif 000032
【図７】
2019088449.tif 000033
【図８】
2019088449.tif 000034
【図９】
2019088449.tif 000035
【図１０】
2019088449.tif 000036
【図１１】
2019088449.tif 000037
【図１２】
2019088449.tif 000038
【図１３】
2019088449.tif 000039
【図１４】
2019088449.tif 000040